(57)【要約】【課題】複数の計量器の動作状態を容易に管理することを可能にする計量器、計量器管理システムおよび計量器管理プログラムを提供する。【解決手段】計量器１００ａはパーソナルコンピュータ３００により親機として設定された場合に、計量部の動作状態をパーソナルコンピュータ３００に送信するとともに他の計量器１００ｂ〜１００ｄの動作状態を取得してパーソナルコンピュータ３００に送信し、子機として設定された場合に、親機からの要求に応答して計量部の動作状態を親機に送信する。【選択図】        図１
2004265227.tif 000002
【特許請求の範囲】
【請求項１】
情報処理装置および他の計量器と通信可能な計量器であって、
計量を行う計量手段と、
親機としての設定または子機としての設定を認識する認識手段と、
前記情報処理装置または前記他の計量器と通信を行う通信手段とを備え、
前記通信手段は、前記認識手段により親機として認識された場合に、前記計量手段の動作状態を前記情報処理装置に送信するとともに他の計量器の動作状態を取得して前記情報処理装置に送信し、前記認識手段により子機として認識された場合に、親機からの要求に応答して前記計量手段の動作状態を前記親機に送信することを特徴とする計量器。
【請求項２】
前記通信手段は、前記認識手段により親機として認識された場合に、前記計量手段の動作状態および他の計量器の動作状態を表示するためのプログラムを前記情報処理装置に送信することを特徴とする請求項１記載の計量器。
【請求項３】
情報処理装置および他の計量器と通信可能な計量器であって、
商品に関する情報を設定する設定手段と、
前記設定手段により設定された情報に基づいて計量を行う計量手段と、
親機としての設定または子機としての設定を認識する認識手段と、
前記情報処理装置または前記他の計量器と通信を行う通信手段とを備え、
前記通信手段は、前記認識手段により親機として認識された場合に、前記設定手段の設定内容を前記情報処理装置に送信するとともに他の計量器の設定内容を取得して前記情報処理装置に送信し、前記認識手段により子機として認識された場合に、親機からの要求に応答して前記設定手段の設定内容を前記親機に送信することを特徴とする計量器。
【請求項４】
前記通信手段は、前記認識手段により親機として認識された場合に、前記設定手段の設定内容および他の計量器の設定内容を表示するプログラムを前記情報処理装置に送信することを特徴とする請求項３記載の計量器。
【請求項５】
前記認識手段により親機として認識された場合に、前記情報処理装置からの更新の指令に従って、前記設定手段の設定内容または指定された他の計量器の設定内容を更新する更新手段をさらに備えたことを特徴とする請求項３または４記載の計量器。
【請求項６】
前記通信手段は、前記認識手段により親機として認識された場合に、前記設定手段の設定内容または他の計量器の設定内容を更新するための情報を生成するプログラムを前記情報処理装置に送信することを特徴とする請求項５記載の計量器。
【請求項７】
情報処理装置と、
前記情報処理装置と通信可能な複数の計量器とを備え、
前記情報処理装置は、前記複数の計量器のいずれかを親機に設定し、他の計量器を子機に設定し、
前記複数の計量器の各々は、
計量を行う計量手段と、
親機としての設定または子機としての設定を認識する認識手段と、
前記情報処理装置および他の計量器と通信を行う通信手段とを備え、
前記通信手段は、
前記認識手段により親機として認識された場合に、前記計量手段の動作状態を前記情報処理装置に送信するとともに他の計量器の動作状態を取得して前記情報処理装置に送信し、前記認識手段により子機として認識された場合に、親機からの要求に応答して前記計量手段の動作状態を前記親機に送信することを特徴とする計量器管理システム。
【請求項８】
情報処理装置および他の計量器と通信可能な計量器を管理する計量器管理処理を行う計量器管理プログラムであって、
計量手段により計量を行う処理と、
親機としての設定または子機としての設定を認識する処理と、
親機として認識された場合に、前記計量手段の動作状態を前記情報処理装置に送信するとともに他の計量器の動作状態を取得して前記情報処理装置に送信し、前記子機として認識された場合に、親機からの要求に応答して前記計量手段の動作状態を前記親機に送信する処理とを前記計量器に実行させることを特徴とする計量器管理プログラム。
【請求項９】
情報処理装置と、
前記情報処理装置と通信可能な複数の計量器とを備え、
前記情報処理装置は、前記複数の計量器のいずれかを親機に設定し、他の計量器を子機に設定し、
前記複数の計量器の各々は、
商品に関する情報を設定する設定手段と、
前記設定手段により設定された情報に基づいて計量を行う計量手段と、
前記情報処理装置または他の計量器と通信を行う通信手段とを備え、
親機としての設定または子機としての設定を認識する認識手段と、
前記認識手段により親機として認識された場合に、前記設定手段の設定内容を前記情報処理装置に送信するとともに他の計量器の設定内容を取得して前記情報処理装置に送信し、前記認識手段により子機として認識された場合に、親機からの要求に応答して前記設定手段の設定内容を前記親機に送信することを特徴とする計量器管理システム。
【請求項１０】
情報処理装置および他の計量器と通信可能な計量器を管理する計量器管理処理を行う計量器管理プログラムであって、
商品に関する情報を設定する処理と、
前記設定手段により設定された情報に基づいて計量を行う処理と、
前記情報処理装置または他の計量器と通信を行う処理と、
親機としての設定または子機としての設定を認識する処理と、
親機として認識された場合に、前記設定手段の設定内容を前記情報処理装置に送信するとともに他の計量器の設定内容を取得して前記情報処理装置に送信し、子機として認識された場合に、親機からの要求に応答して前記設定手段の設定内容を前記親機に送信する処理とを前記計量器に実行させることを特徴とする計量器管理プログラム。
【請求項１１】
情報処理装置および他の計量器と通信可能な計量器であって、
商品に関する情報を設定する設定処理を行う設定手段と、
前記設定手段により設定された情報に基づいて計量処理を行う計量手段とを備え、
前記設定手段は、前記情報処理装置からの指令に応答して前記設定処理を前記計量手段による計量処理と並列的に行うことを特徴とする計量器。
【請求項１２】
前記情報処理装置からの指令に応答して、前記設定処理のための設定画面を表示するプログラムを前記情報処理装置に送信する通信手段をさらに備えたことを特徴とする請求項１１記載の計量器。
【請求項１３】
前記計量手段による計量処理時に計量結果を表示する表示手段をさらに備えたことを特徴とする請求項１１または１２記載の計量器。
【請求項１４】
前記計量手段は、計量処理を制御する計量プログラムに従って動作し、
前記設定手段は、前記計量処理と並列的に設定処理を行う設定処理プログラムに従って動作することを特徴とする請求項１１〜１３のいずれかに記載の計量器。
【請求項１５】
情報処理装置と、
前記情報処理装置と通信可能な複数の計量器とを備え、
前記複数の計量器の各々は、
商品に関する情報を設定する設定処理を行う設定手段と、
前記設定手段により設定された情報に基づいて計量処理を行う計量手段とを備え、
前記設定手段は、前記情報処理装置からの指令に応答して前記設定処理を前記計量手段による計量処理と並列的に行うことを特徴とする計量器管理システム。
【請求項１６】
情報処理装置および他の計量器と通信可能な計量器を管理する計量器管理プログラムであって、
商品に関する情報に基づいて計量を行う処理と、
前記計量を行う処理と並列的に、前記情報処理装置からの指令に応答して前記商品に関する情報を設定する処理とを、前記計量器に実行させることを特徴とする計量器管理プログラム。
【発明の詳細な説明】
【０００１】
【発明の属する技術分野】
本発明は、商品の重量を測定可能でかつ通信手段を有する計量器、その計量器管理システムおよびその計量器管理プログラムに関する。
【０００２】
【従来の技術】
近年、スーパーマーケット、百貨店等の販売店舗に設置される計量器の分野においては、各種計量対象に関する商品情報を記憶する機能および計量結果または販売実績等を集計する機能を備えた計量器が開発されている。また、計量器とパーソナルコンピュータとの間でデータの送受信を可能とするデータ送受信方法も提案されている（特許文献１参照）。
【０００３】
さらに、販売店舗に設置された複数の計量器をパーソナルコンピュータに接続し、パーソナルコンピュータを用いて各計量器の使用状況の確認および商品情報の更新を行う計量器管理システムも開発されている。
【０００４】
【特許文献１】
特開２０００−２５１１８５号公報
【０００５】
【発明が解決しようとする課題】
上述のような従来の計量器管理システムにおいて、パーソナルコンピュータが各計量器に対しそれぞれ個別にアクセスすることにより商品情報の更新処理が行われる。この場合、パーソナルコンピュータのモニタ装置の画面に各計量器の表示部と同じ画面が表示される。そのため、管理者は各計量器の状態を視覚的に認識することができる。
【０００６】
しかしながら、複数の計量器の商品情報を更新する場合には、各計量器に対応する画面をモニタ装置に表示させて商品情報を設定する作業を複数の計量器の台数に相当する回数繰り返す必要がある。
【０００７】
また、パーソナルコンピュータから計量器の商品情報を更新しているときには、その計量器においては計量処理を行うことができない。一方、計量器が計量処理を行っている場合、パーソナルコンピュータはその計量器の商品情報を更新することができない。
【０００８】
本発明の目的は、複数の計量器の動作状態を容易に管理することを可能にする計量器、計量器管理システムおよび計量器管理プログラムを提供することである。
【０００９】
本発明の他の目的は、複数の計量器の商品に関する設定内容を容易に管理することを可能にする計量器、計量器管理システムおよび計量器管理プログラムを提供することである。
【００１０】
本発明の他の目的は、計量時においても商品に関する情報を設定可能な計量器、計量器管理システムおよび計量器管理プログラムを提供することである。
【００１１】
【課題を解決するための手段】
第１の発明に係る計量器は、情報処理装置および他の計量器と通信可能な計量器であって、計量を行う計量手段と、親機としての設定または子機としての設定を認識する認識手段と、情報処理装置または他の計量器と通信を行う通信手段とを備え、通信手段は、認識手段により親機として認識された場合に、計量手段の動作状態を情報処理装置に送信するとともに他の計量器の動作状態を取得して情報処理装置に送信し、認識手段により子機として認識された場合に、親機からの要求に応答して計量手段の動作状態を親機に送信するものである。
【００１２】
第１の発明に係る計量器においては、計量手段により計量が行われ、認識手段により親機としての設定または子機としての設定が認識され、通信手段により情報処理装置または他の計量器と通信が行われる。認識手段により親機として認識された場合、通信手段により計量手段の動作状態が情報処理装置に送信されるとともに他の計量器の動作状態が取得され情報処理装置に送信され、認識手段により子機として認識された場合、通信手段により親機からの要求に応答して計量手段の動作状態が親機に送信される。
【００１３】
これにより、管理者は、情報処理装置を用いて複数の計量器のうちいずれかを親機として設定し、親機として設定された計量器と通信することにより、個々の計量器と通信することなく、容易に親機の計量手段の動作状態を確認するとともに子機と設定された他の計量器の計量手段の動作状態を確認することができる。
【００１４】
通信手段は、認識手段により親機として認識された場合に、計量手段の動作状態および他の計量器の動作状態を表示するためのプログラムを情報処理装置に送信してもよい。
【００１５】
この場合、管理者は、情報処理装置を用いて親機として設定した計量器と通信することにより、親機および子機の計量手段の動作状態を専用のアプリケーションを使用することなく表示することができる。
【００１６】
第２の発明に係る計量器は、情報処理装置および他の計量器と通信可能な計量器であって、商品に関する情報を設定する設定手段と、設定手段により設定された情報に基づいて計量を行う計量手段と、親機としての設定または子機としての設定を認識する認識手段と、情報処理装置または他の計量器と通信を行う通信手段とを備え、通信手段は、認識手段により親機として認識された場合に、設定手段の設定内容を情報処理装置に送信するとともに他の計量器の設定内容を取得して情報処理装置に送信し、認識手段により子機として認識された場合に、親機からの要求に応答して設定手段の設定内容を親機に送信するものである。
【００１７】
第２の発明に係る計量器においては、設定手段により商品に関する情報が設定され、計量手段により設定された商品に関する情報に基づいて計量が行われ、認識手段により親機としての設定または子機としての設定が認識され、通信手段により情報処理装置または他の計量器と通信が行われる。認識手段により親機として認識された場合、通信手段により設定手段の設定内容が情報処理装置に送信されるとともに他の計量器の設定内容が取得され、情報処理装置に送信される。さらに、認識手段により子機として認識された場合、通信手段により親機からの要求に応答して設定手段の設定内容が親機に送信される。
【００１８】
これにより、管理者は、情報処理装置を用いて複数の計量器のうちいずれかを親機として設定し、親機として設定された計量器と通信することにより、個々の計量器と通信することなく、容易に親機の計量器の設定内容を確認するとともに子機として設定された他の計量器の設定内容を確認することができる。
【００１９】
通信手段は、認識手段により親機として認識された場合に、設定手段の設定内容および他の計量器の設定内容を表示するプログラムを情報処理装置に送信してもよい。この場合、管理者は、情報処理装置を用いて親機として設定した計量器と通信することにより、親機および子機の設定内容を専用のアプリケーションを使用することなく表示することができる。
【００２０】
認識手段により親機として認識された場合に、情報処理装置からの更新の指令に従って、設定手段の設定内容または指定された他の計量器の設定内容を更新する更新手段をさらに備えてもよい。
【００２１】
この場合、計量器が認識手段により親機として認識された場合に、更新手段により設定手段の設定内容または指定された他の計量器の設定内容が、情報処理装置からの更新の指令に従って更新される。これにより、管理者は、情報処理装置を用いて親機として設定した計量器と通信することにより、個々の計量器と通信することなく、容易に親機および子機の設定内容を更新することができる。
【００２２】
通信手段は、認識手段により親機として認識された場合に、設定手段の設定内容または他の計量器の設定内容を更新するための情報を生成するプログラムを情報処理装置に送信してもよい。
【００２３】
この場合、管理者は、情報処理装置を用いて親機として設定した計量器と通信することにより、親機および子機の設定内容を更新するための情報を専用のアプリケーションを使用することなく生成することができる。
【００２４】
第３の発明に係る計量器管理システムは、情報処理装置と、情報処理装置と通信可能な複数の計量器とを備え、情報処理装置は、複数の計量器のいずれかを親機に設定し、他の計量器を子機に設定し、複数の計量器の各々は、計量を行う計量手段と、親機としての設定または子機としての設定を認識する認識手段と、情報処理装置および他の計量器と通信を行う通信手段とを備え、通信手段は、認識手段により親機として認識された場合に、計量手段の動作状態を情報処理装置に送信するとともに他の計量器の動作状態を取得して情報処理装置に送信し、認識手段により子機として認識された場合に、親機からの要求に応答して計量手段の動作状態を親機に送信するものである。
【００２５】
第３の発明に係る計量器管理システムにおいては、情報処理装置により複数の計量器のいずれかが親機に設定され、他の計量器が子機に設定される。また、複数の計量器の各々においては、計量手段により計量が行われ、認識手段により親機としての設定または子機としての設定が認識され、通信手段により情報処理装置または他の計量器と通信が行われる。認識手段により親機として認識された場合、通信手段により計量手段の動作状態が情報処理装置に送信されるとともに他の計量器の動作状態が取得され情報処理装置に送信され、認識手段により子機として認識された場合、通信手段により親機からの要求に応答して計量手段の動作状態が親機に送信される。
【００２６】
これにより、管理者は、情報処理装置を用いて複数の計量器のうちいずれかを親機として設定し、親機として設定された計量器と通信することにより、個々の計量器と通信することなく、容易に親機の計量手段の動作状態を確認するとともに子機として設定された他の計量器の計量手段の動作状態を確認することができる。
【００２７】
第４の発明に係る計量器管理プログラムは、情報処理装置および他の計量器と通信可能な計量器を管理する計量器管理処理を行う計量器管理プログラムであって、計量手段により計量を行う処理と、親機としての設定または子機としての設定を認識する処理と、親機として認識された場合に、計量手段の動作状態を情報処理装置に送信するとともに他の計量器の動作状態を取得して情報処理装置に送信し、子機として認識された場合に、親機からの要求に応答して計量手段の動作状態を親機に送信する処理とを計量器に実行させるものである。
【００２８】
第４の発明に係る計量器管理プログラムによれば、計量手段により計量が行われ、親機としての設定または子機としての設定が認識される。また、親機として認識された場合に、計量手段の動作状態が情報処理装置に送信されるとともに他の計量器の動作状態が取得され、情報処理装置に送信される。さらに、子機として認識された場合に、親機からの要求に応答して計量手段の動作状態が親機に送信される。
【００２９】
これにより、管理者は、情報処理装置を用いて複数の計量器のうちいずれかを親機として設定し、親機として設定された計量器と通信することにより、個々の計量器と通信することなく、容易に親機の計量手段の動作状態を確認するとともに子機として設定された他の計量器の計量手段の動作状態を確認することができる。
【００３０】
第５の発明に係る計量器管理システムは、情報処理装置と、情報処理装置と通信可能な複数の計量器とを備え、情報処理装置は、複数の計量器のいずれかを親機に設定し、他の計量器を子機に設定し、複数の計量器の各々は、商品に関する情報を設定する設定手段と、設定手段により設定された情報に基づいて計量を行う計量手段と、情報処理装置または他の計量器と通信を行う通信手段とを備え、親機としての設定または子機としての設定を認識する認識手段と、認識手段により親機として認識された場合に、設定手段の設定内容を情報処理装置に送信するとともに他の計量器の設定内容を取得して情報処理装置に送信し、認識手段により子機として認識された場合に、親機からの要求に応答して設定手段の設定内容を親機に送信するものである。
【００３１】
第５の発明に係る計量器管理システムにおいては、情報処理装置により複数の計量器のいずれかが親機に設定され、他の計量器が子機に設定される。また、複数の計量器の各々においては、設定手段により商品に関する情報が設定され、計量手段により設定された商品に関する情報に基づいて計量が行われ、認識手段により親機としての設定または子機としての設定が認識され、通信手段により情報処理装置または他の計量器と通信が行われる。認識手段により親機として認識された場合、通信手段により設定手段の設定内容が情報処理装置に送信されるとともに他の計量器の設定内容が取得され、情報処理装置に送信される。さらに、認識手段により子機として認識された場合、通信手段により親機からの要求に応答して設定手段の設定内容が親機に送信される。
【００３２】
これにより、管理者は、情報処理装置を用いて複数の計量器のうちいずれかを親機として設定し、親機として設定された計量器と通信することにより、個々の計量器と通信することなく、容易に親機の計量器の設定内容を確認するとともに子機として設定された他の計量器の設定内容を確認することができる。
【００３３】
第６の発明に係る計量器管理プログラムは、情報処理装置および他の計量器と通信可能な計量器を管理する計量器管理処理を行う計量器管理プログラムであって、商品に関する情報を設定する処理と、設定手段により設定された情報に基づいて計量を行う処理と、情報処理装置または他の計量器と通信を行う処理と、親機としての設定または子機としての設定を認識する処理と、親機として認識された場合に、設定手段の設定内容を情報処理装置に送信するとともに他の計量器の設定内容を取得して情報処理装置に送信し、子機として認識された場合に、親機からの要求に応答して設定手段の設定内容を親機に送信する処理とを計量器に実行させるものである。
【００３４】
第６の発明に係る計量器管理プログラムによれば、商品に関する情報が設定され、計量手段により設定された商品に関する情報に基づいて計量が行われ、情報処理装置または他の計量器と通信が行われ、親機としての設定または子機としての設定が認識され、親機として認識された場合に、設定手段の設定内容が情報処理装置に送信されるとともに他の計量器の設定内容が取得され、情報処理装置に送信され、子機として認識された場合に、親機からの要求に応答して設定手段の設定内容が親機に送信される。
【００３５】
これにより、管理者は、情報処理装置を用いて複数の計量器のうちいずれかを親機として設定し、親機として設定された計量器と通信することにより、個々の計量器と通信することなく、容易に親機の計量器の設定内容を確認するとともに子機として設定された他の計量器の設定内容を確認することができる。
【００３６】
第７の発明に係る計量器は、情報処理装置および他の計量器と通信可能な計量器であって、商品に関する情報を設定する設定処理を行う設定手段と、設定手段により設定された情報に基づいて計量処理を行う計量手段とを備え、設定手段は、情報処理装置からの指令に応答して設定処理を計量手段による計量処理と並列的に行うものである。
【００３７】
第７の発明に係る計量器においては、設定手段により商品に関する情報を設定する設定処理が行われ、計量手段により設定手段により設定された情報に基づいて計量処理が行われる。設定手段においては、情報処理装置からの指令に応答して設定処理が計量手段による計量処理と並列的に行われる。
【００３８】
これにより、管理者は、情報処理装置を用いて計量器と通信することにより、計量器が計量手段による計量処理を行っているか否かにかかわらず、商品に関する情報を設定することができる。
【００３９】
情報処理装置からの指令に応答して、設定処理のための設定画面を表示するプログラムを情報処理装置に送信する通信手段をさらに備えてもよい。
【００４０】
この場合、管理者は、情報処理装置を用いて計量器と通信することにより、計量器の設定処理のための設定画面を専用のアプリケーションを使用することなく表示することができる。
【００４１】
計量手段による計量処理時に計量結果を表示する表示手段をさらに備えてもよい。この場合、計量手段による計量処理時に集計結果が表示手段に表示される。
【００４２】
計量手段は、計量処理を制御する計量プログラムに従って動作し、設定手段は、計量処理と並列的に設定処理を行う設定処理プログラムに従って動作してもよい。この場合、管理者は、計量器が計量処理中であるか否かにかかわらず、設定処理を行うことができる。
【００４３】
第８の発明に係る計量器管理システムは、情報処理装置と、情報処理装置と通信可能な複数の計量器とを備え、複数の計量器の各々は、商品に関する情報を設定する設定処理を行う設定手段と、設定手段により設定された情報に基づいて計量処理を行う計量手段とを備え、設定手段は、情報処理装置からの指令に応答して設定処理を計量手段による計量処理と並列的に行うものである。
【００４４】
第８の発明に係る計量器管理システムにおいては、情報処理装置により複数の計量器が通信される。また、複数の計量器の各々においては、設定手段により商品に関する情報を設定する設定処理が行われ、計量手段により設定手段により設定された情報に基づいて計量処理が行われる。設定手段においては、情報処理装置からの指令に応答して設定処理が計量手段による計量処理と並列的に行われる。
【００４５】
これにより、管理者は、情報処理装置を用いて計量器と通信することにより、計量器が計量手段による計量処理を行っているか否かにかかわらず、商品に関する情報を設定することができる。
【００４６】
第９の発明に係る計量器管理プログラムは、情報処理装置および他の計量器と通信可能な計量器を管理する計量器管理プログラムであって、商品に関する情報に基づいて計量を行う処理と、計量を行う処理と並列的に、情報処理装置からの指令に応答して商品に関する情報を設定する処理とを、計量器に実行させるものである。
【００４７】
第９の発明に係る計量器管理プログラムによれば、情報処理装置および他の計量器と通信可能な計量器が管理される。計量器においては、商品に関する情報に基づいて計量が行われ、計量を行う処理と並列的に、情報処理装置からの指令に応答して商品に関する情報が設定される。
【００４８】
これにより、管理者は、情報処理装置を用いて計量器と通信することにより、計量器が計量手段による計量処理を行っているか否かにかかわらず、商品に関する情報を設定することができる。
【００４９】
【発明の実施の形態】
以下、本発明の実施の形態に係る計量器、計量器管理システムおよび計量器管理プログラムについて図１〜図２９に基づき説明する。
【００５０】
（第１の実施の形態）
図１は、第１の実施の形態に係る計量器管理システムＡＡの構成を示す模式図である。
【００５１】
第１の実施の形態に係る計量器管理システムＡＡは、計量器１００ａ，１００ｂ，１００ｃ，１００ｄ、パーソナルコンピュータ３００およびＬＡＮ（ローカルエリアネットワーク）４００から構成されている。パーソナルコンピュータ３００および計量器１００ａ〜１００ｄはＬＡＮ４００と接続されている。これにより、パーソナルコンピュータ３００はＬＡＮ４００を介して計量器１００ａ〜１００ｄのいずれかと通信し、計量器１００ａ〜１００ｄはＬＡＮ４００を通じて相互に通信する。
【００５２】
なお、計量器１００ａ〜１００ｄおよびパーソナルコンピュータ３００は、双方向に通信可能なネットワークを介して接続されていればよく、ＬＡＮ４００の代わりにインターネット等の公衆通信回線網を用いてもよい。
【００５３】
図２は、第１の実施の形態に係るパーソナルコンピュータ３００の構成を示す模式図である。
【００５４】
第１の実施の形態に係るパーソナルコンピュータ３００は、ＣＰＵ（中央演算処理装置）３０１、ＲＡＭ（ランダムアクセスメモリ）３０２、ＲＯＭ（リードオンリメモリ）３０３、外部記憶装置３０４、記録媒体駆動装置３０５、インターフェイス部３０６および表示装置３０８を備える。
【００５５】
インターフェイス部３０６はＬＡＮ４００に接続されており、ＣＰＵ３０１とＬＡＮ４００とを相互に接続する。
【００５６】
ＲＯＭ３０３には外部機器との通信を行う際に使用するシステムプログラムが記憶される。記録媒体駆動装置３０５はＣＤ（コンパクトディスク）ドライブ、フロッピィディスクドライブ等からなり、ＣＤまたはフロッピィディスク等の記録媒体３０７に対してデータの読み書きを行う。記録媒体３０７には、所定のプログラムが記録されている。外部記憶装置３０４は、ハードディスク装置等からなり、記録媒体駆動装置３０５を介して記録媒体３０７から読み込まれた所定のプログラムを記憶する。ＣＰＵ３０１は、外部記憶装置３０４に記憶された所定のプログラムをＲＡＭ３０２上で実行する。
【００５７】
ここで、計量器１００ａ〜１００ｄのいずれかからパーソナルコンピュータ３００にＬＡＮ４００およびインターフェイス部３０６を介して後述のパーソナルコンピュータ用（以下、ＰＣ用と略記する。）計量器管理プログラムがアップロードされる。このＰＣ用計量器管理プログラムは、例えば、ＪＡＶＡ（登録商標）アプレット等のアプレットである。
【００５８】
これにより、ＣＰＵ３０１は、ＰＣ用計量器管理プログラムを外部記憶装置３０４に記憶し、ＲＡＭ３０２上で実行する。さらに、ＬＡＮ４００より種々のデータが入力される。ＣＰＵ３０１は、入力された種々のデータを一時的にＲＡＭ３０２内部に記憶する。外部記憶装置３０４には閲覧用アプリケーションプログラム（以下、ブラウザと呼ぶ。）が記憶される。
【００５９】
表示装置３０８には、上述のブラウザおよび計量器管理プログラムに基づいて各種ウィンドウが表示される。
【００６０】
図３は、第１の実施の形態に係る計量器１００ａの外観斜視図である。図３（ａ）は計量器１００ａを前方より見た場合を示し、図３（ｂ）は後方より見た場合を示す。図４は、計量器１００ａの構成を示すブロック図である。計量器１００ａの外観および構成について図３および図４に基づき説明する。
【００６１】
図３において、計量器１００ａは、ほぼ直方体の本体を有している。本体の前面側には、操作パネル１０１、販売者用表示部１０２および印字部１０４が設けられている。さらに、本体の上面側には商品の計量を行う計量部１０３が設けられ、背面側にはお客様用表示部１０５が設けられている。
【００６２】
操作パネル１０１には、顧客の購入商品を入力するためのキー、購入商品の入力の終了を指示するためのキー等が設けられている。
【００６３】
図４において、計量器１００ａは、操作パネル１０１、販売者用表示部１０２、計量部１０３、印字部１０４、お客様用表示部１０５、ＣＰＵ１１０、ＲＯＭ１１１、ＲＡＭ１１２、外部記憶装置１１３およびインターフェイス部１１４を備える。
【００６４】
外部記憶装置１１３には、後述する計量器管理プログラム等が記憶されるとともに、商品コード番号、商品名称、単価、素材・添加物等の商品に関するデータ（以下、設定データと呼ぶ。）が商品毎に記憶されている。設定データは、後述の計量器設定処理に基づいて外部記憶装置１１３内に記憶される。
【００６５】
計量器管理プログラムは、インターフェイス部１１４を介して外部より外部記憶装置１１３に記憶される。一方、ＲＡＭ１１２には、インターフェイス部１１４を介して外部より入力される後述の新たな設定データが一時的に記憶される。
【００６６】
ＲＯＭ１１１には、システムプログラムが記憶される。ＣＰＵ１１０は、外部記憶装置１１３に記憶された計量器管理プログラムをＲＡＭ１１２上で実行する。販売者用表示部１０２は、個々の商品に応じた設定データ等を表示し、お客様用表示部１０５は、顧客の購入金額、顧客の購入状況に応じた広告等を表示する。操作パネル１０１は、キー、タッチパネル等からなり、設定データの入力および計量や印字等の各種指令の入力を行うために用いられる。
【００６７】
計量部１０３は、商品の重量を測定する。印字部１０４は、レシートに顧客の購入に関する情報を印字し、ラベルに設定データに基づく情報を印字する。インターフェイス部１１４は、計量器１００ａとＬＡＮ４００とを相互に接続する。また、上述の計量器管理プログラムや設定データを外部記憶装置１１３へ記憶させるために、インターフェイス部１１４にパーソナルコンピュータ等の他の外部機器を接続することも可能である。
【００６８】
図１の計量器１００ｂ〜１００ｄの外観および構成は、上述の計量器１００ａの外観および構成と同様である。
【００６９】
計量器管理システムＡＡの動作について図５〜図８に基づき説明する。図５〜図８は、第１の実施の形態に係る計量器管理システムＡＡの動作時にパーソナルコンピュータ３００の表示装置３０８に表示される画像の一例を示す模式図である。
【００７０】
第１の実施の形態に係る計量器管理システムの管理者は、パーソナルコンピュータ３００を用いることにより以下の手順で複数の計量器１００ａ〜１００ｄを管理することができる。なお、図１においては、計量器管理システムＡＡに４台の計量器１００ａ〜１００ｄが含まれるが、これに限らず計量器管理システムＡＡに含まれる計量器の数に制限はない。
【００７１】
初めに、管理者はパーソナルコンピュータ３００の電源をオンし、ブラウザを起動する。ブラウザ起動時には、図５（ａ）に示すブラウザ起動ウィンドウＷ１がパーソナルコンピュータ３００の表示装置３０８に表示される。ブラウザ起動ウィンドウＷ１には通信先のアドレスを入力するアドレス入力欄ＡＤおよび入力されたアドレスにアクセスするための移動ボタンＭＶが含まれる。
【００７２】
ここで、管理者は複数の計量器１００ａ〜１００ｄのうち親機とする計量器を選定する。そして、図５（ａ）に示すように、アドレス入力欄ＡＤに選定した計量器のアドレスを入力し、移動ボタンＭＶをクリックする。これにより、パーソナルコンピュータ３００は選定した計量器にアクセスし、アクセスされた計量器が親機に設定される。パーソナルコンピュータ３００の表示装置３０８には図５（ｂ）に示すシステム起動ウィンドウＷ２が表示される。
【００７３】
なお、本実施の形態において、図１に示す計量器１００ａ〜１００ｄはそれぞれアドレス“１００ａ”〜“１００ｄ”を有するものとする。例えば、図５（ａ）に示されるアドレス入力欄に“１００ａ”が入力された場合、パーソナルコンピュータ３００は計量器１００ａにアクセスし、計量器１００ａを親機に設定する。
【００７４】
図５（ｂ）に示すように、システム起動ウィンドウＷ２には、現在の通信先を確認するための確認メッセージｃ１、計量器設定ボタンｂ１、使用状況表示ボタンｂ２およびレポート表示ボタンｂ１１が含まれる。
【００７５】
管理者は、確認メッセージｃ１により、現在の通信先が計量器１００ａであることを確認するとともに、計量器１００ａが親機に設定されたことを確認することができる。
【００７６】
図５（ｂ）において、管理者は計量器１００ａ〜１００ｄのいずれかの外部記憶装置１１３（図４）に記憶される設定データの更新を行いたい場合、計量器設定ボタンｂ１をクリックする。これにより、計量器１００ａには設定データの更新を行う旨の計量器設定信号が送信される。パーソナルコンピュータ３００の表示装置３０８には図６（ｃ）に示す商品決定ウィンドウＷ３が表示される。
【００７７】
商品決定ウィンドウＷ３には、複数の個別商品ボタンＳＫ１、複数の商品分類ボタンＳＫ２および前画面表示ボタンｂ４が含まれる。
【００７８】
管理者は、所望の商品分類ボタンＳＫ２をクリックすることにより個別商品ボタンＳＫ１の表示内容を変化させることができる。例えば、管理者が「牛肉」と表示された商品分類ボタンＳＫ２をクリックした場合、個別商品ボタンＳＫ１には図６（ｃ）に示すように「てっちゃん」、「牛すじ」および「せんまい」等の牛肉に関する商品の名称が表示される。
【００７９】
これら商品分類および商品の名称は、親機である計量器１００ａから送られる商品一覧データに基づいて表示される。商品一覧データは、設定データに対応する商品名称の一覧データである。
【００８０】
続いて、管理者は設定データを更新する商品の名称が表示された個別商品ボタンＳＫ１をクリックする。これにより、設定データの更新対象となる商品が決定され、パーソナルコンピュータ３００の表示装置３０８には図６（ｄ）に示す計量器設定ウィンドウＷ４が表示される。この場合、管理者による個別商品ボタンＳＫ１のクリックにより、パーソナルコンピュータ３００は設定データの更新対象となる商品を示す対象商品決定信号を親機である計量器１００ａに送信する。
【００８１】
なお、商品決定ウィンドウＷ３において、管理者が前画面表示ボタンｂ４をクリックした場合には、商品決定ウィンドウＷ３の前に表示されていたシステム起動ウィンドウＷ２が再表示される。
【００８２】
図６（ｄ）に示すように、計量器設定ウィンドウＷ４には、親機である計量器１００ａの設定データ表示欄ｃ２、子機である計量器１００ｂ〜１００ｄの設定データ表示欄ｃ３〜ｃ５、登録ボタンｂ３および前画面表示ボタンｂ４が含まれる。
【００８３】
ここで、設定データ表示欄ｃ２〜ｃ５の詳細について図７（ｅ）に基づき説明する。図７（ｅ）においては、図６（ｄ）の設定データ表示欄ｃ２の一表示例が示されている。
【００８４】
図７（ｅ）によれば、設定データ表示欄ｃ２には、設定情報表示枠ｃ６、対象計量器設定ボタンｂ５および一括ボタンｂ１２が含まれる。さらに、設定情報表示枠ｃ６は設定項目表示エリアａｒ１および設定内容表示エリアａｒ２により構成されている。設定項目表示エリアａｒ１は、商品コード番号入力ボタンｂ６、商品名称ボタンｂ７、単価ボタンｂ８、素材ボタンｂ９およびコメントボタンｂ１０を含む。この設定データ表示欄ｃ２の表示内容は、設定データ表示欄ｃ３〜ｃ５の全てに共通する。
【００８５】
管理者は、対象計量器設定ボタンｂ５をクリックすることにより設定データの更新対象とする計量器を決定する。
【００８６】
例えば、計量器１００ａ，１００ｂ，１００ｃの設定データをそれぞれ更新したい場合、管理者は図６（ｄ）の設定データ表示欄ｃ２，ｃ３，ｃ４の対象計量器設定ボタンｂ５をクリックする。管理者は、設定データ表示欄ｃ２，ｃ３，ｃ４についてそれぞれ新たな設定データの作成を行うことにより計量器１００ａ，１００ｂ，１００ｃに対してそれぞれの新たな設定データを反映させることが可能となる。
【００８７】
ここで、管理者は、複数の計量器に対して同じ内容の設定データを更新したい場合、更新対象とする複数の計量器を決定した後、設定データ表示欄ｃ２〜ｃ５のいずれかに含まれる一括ボタンｂ１２をクリックする。
【００８８】
例えば、計量器１００ａ，１００ｂ，１００ｃの設定データを同じ内容で更新したい場合、管理者は図６（ｄ）の設定データ表示欄ｃ２，ｃ３，ｃ４の対象計量器設定ボタンｂ５をクリックした後、設定データ表示欄ｃ２，ｃ３，ｃ４のうちいずれかの一括ボタンｂ１２をクリックする。これにより、管理者はクリックした一括ボタンｂ１２が含まれる設定データ表示欄により新たな設定データの内容を一括して作成することが可能となり、計量器１００ａ，１００ｂ，１００ｃに対して同一の新たな設定データを反映させることができる。
【００８９】
管理者が各対象計量器設定ボタンｂ５をクリックした場合、パーソナルコンピュータ３００は、対象となる計量器を示す対象計量器設定信号を親機である計量器１００ａに送信する。
【００９０】
新たな設定データの作成は次のように行われる。図７（ｅ）において、管理者は更新したい設定データの項目を設定項目表示エリアａｒ１に表示される複数のボタンから選択する。例えば、管理者が商品コード番号ボタンｂ６をクリックした場合、設定内容表示エリアａｒ２の対応する箇所が入力スペースとなる。これにより、管理者は当該入力スペースに対し所望の設定内容を入力する。このように、管理者が商品名称、単価、素材・添加物およびコメントについて設定内容を入力することにより新たな設定データが作成される。
【００９１】
続いて、管理者は、新たな設定データの作成が完了した場合、図６（ｄ）の登録ボタンｂ３をクリックする。これにより、管理者により設定された新たな設定データが親機である計量器１００ａに送信される。その後、親機である計量器１００ａは、入力された新たな設定データおよび対象計量器設定信号に基づいて子機である計量器１００ｂ，１００ｃ，１００ｄに対し新たな設定データを送信する。そして、全ての対象計量器１００ｂ〜１００ｄに新たな設定データが送信されることにより、各計量器１００ｂ〜１００ｄは新たな設定データに基づいて自己に記憶されている設定データを更新する。
【００９２】
なお、計量器設定ウィンドウＷ４において、管理者が前画面表示ボタンｂ４をクリックした場合には、計量器設定ウィンドウＷ４の前に表示されていた商品決定ウィンドウＷ３が再表示される。
【００９３】
以上のように、各計量器１００ａ〜１００ｄの外部記憶装置１１３に予め記憶された設定データをパーソナルコンピュータ３００により作成された新たな設定データで更新する一連の処理を計量器設定処理と呼ぶ。
【００９４】
一方、図５（ｂ）において、管理者は、計量器１００ａ〜１００ｄの現在の使用状況の確認を行いたい場合、使用状況確認ボタンｂ２をクリックする。これにより、親機である計量器１００ａには、パーソナルコンピュータ３００より各計量器１００ａ〜１００ｄの使用状況を確認する旨の使用状況確認信号が送信される。パーソナルコンピュータ３００の表示装置３０８には図７（ｆ）に示す使用状況一覧ウィンドウＷ５が表示される。
【００９５】
図７（ｆ）に示すように、使用状況一覧ウィンドウＷ５には、複数の使用状況表示欄ｃ７〜ｃ１０および前画面表示ボタンｂ４が含まれる。さらに、使用状況表示欄ｃ７〜ｃ１０には、それぞれ使用内容表示枠ｃ１１が含まれる。使用状況表示欄ｃ７〜ｃ１０は、それぞれ計量器１００ａ〜１００ｄと対応しており、各々の現在の使用状況を示す。なお、使用内容表示枠ｃ１１の表示内容は、各計量器１００ａ〜１００ｄの販売者用表示部１０２に表示される内容と同一であってもよい。
【００９６】
図８（ｇ）に図７（ｆ）の使用状況表示欄ｃ７に表示された使用内容表示枠ｃ１１の一表示例を示す。図８（ｇ）によれば、使用内容表示枠ｃ１１には商品名表示エリアａｒ３および計量内容表示エリアａｒ４が設けられており、管理者はこれらの商品名表示エリアａｒ３および計量内容表示エリアａｒ４により、全ての計量器１００ａ〜１００ｄの現在の使用状況を確認することができる。使用状況は、親機である計量器１００ａから送られる使用状況データに基づいて表示される。使用状況データは、親機および子機の現在の使用状況を示すデータである。
【００９７】
以上のように、各計量器１００ａ〜１００ｄの現在の使用状況をパーソナルコンピュータ３００の表示装置３０８により表示する一連の処理を使用状況表示処理と呼ぶ。
【００９８】
他方、図５（ｂ）において、管理者は、計量器１００ａ〜１００ｄの現在の使用状況のレポートの確認を行いたい場合、レポート表示ボタンｂ１１をクリックする。これにより、親機である計量器１００ａには、パーソナルコンピュータ３００より各計量器１００ａ〜１００ｄの使用状況のレポートを確認する旨のレポート表示信号が送信される。パーソナルコンピュータ３００の表示装置３０８には、図８（ｈ）に示す使用状況レポート一覧ウィンドウＷ６が表示される。
【００９９】
ここで、使用状況レポート一覧ウィンドウＷ６の使用状況のレポートは、例えば計量器１００ａ〜１００ｄのそれぞれについての１日の売上高または売上商品等を示すものである。これにより、管理者は、使用状況レポート一覧ウィンドウＷ６により計量器１００ａ〜１００ｄのそれぞれについての売上高等の詳細な情報を得ることができる。これら使用状況のレポートは、親機である計量器１００ａから送られるレポートデータに基づいて表示される。レポートデータは、顧客による商品の購入に関する情報および設定データに基づいて１日の売上高または売上商品等の算出結果を示すデータである。
【０１００】
以上のように、各計量器１００ａ〜１００ｄの使用状況のレポートをパーソナルコンピュータ３００の表示装置３０８により表示する一連の処理をレポート表示処理と呼ぶ。
【０１０１】
次に、計量器１００ａに記憶される計量器管理プログラムについて図９〜図１７に基づき説明する。計量器１００ｂ〜１００ｄに記憶される計量器管理プログラムについても計量器１００ａに記憶される計量器管理プログラムと同様である。ここで、計量器１００ａの計量器管理プログラムは、起動プログラム、統括管理プログラムおよびＰＣ用計量器管理プログラムから構成されている。
【０１０２】
図９は、起動プログラムのフローチャートである。初めに、計量器１００ａのＣＰＵ３０１は、パーソナルコンピュータ３００よりアクセスがあったか否かを判別する（ステップＳ１）。計量器１００ａはパーソナルコンピュータ３００よりアクセスがあったと判別した場合に自己を親機に設定し（ステップＳ２）、パーソナルコンピュータ３００にＰＣ用計量器管理プログラムをアップロードする（ステップＳ３）。そして、計量器１００ａは、他の計量器１００ｂ，１００ｃ，１００ｄにアクセスし（ステップＳ４）、他の計量器１００ｂ，１００ｃ，１００ｄおよびパーソナルコンピュータ３００との通信状態を確立する（ステップＳ５）。
【０１０３】
計量器１００ａは、上記ステップＳ１においてパーソナルコンピュータ３００よりアクセスがないと判別した場合、他の計量器１００ｂ，１００ｃ，１００ｄよりアクセスがあったか否かを判別する（ステップＳ１１）。計量器１００ａは、他の計量器１００ｂ，１００ｃ，１００ｄのいずれかよりアクセスがあったと判別した場合、アクセスのあった他の計量器を親機と認識し（ステップＳ１２）、自己を子機に設定する（ステップＳ１３）。そして、計量器１００ａは親機との通信状態を確立する（ステップＳ１４）。
【０１０４】
以上の起動プログラムにより、管理者は、複数の計量器１００ａ〜１００ｄのいずれかを容易に親機に設定することができるとともに、親機にアクセスすることにより親機からパーソナルコンピュータ３００にＰＣ用計量器管理プログラムがアップロードされるので、専用のソフトウェアをパーソナルコンピュータ３００に予め記憶させておく必要がない。
【０１０５】
図１０は、計量器１００ａに記憶される統括管理プログラムを示すフローチャートである。計量器１００ｂ〜１００ｄに記憶される統括管理プログラムも計量器１００ａに記憶される統括管理プログラムと同様である。なお、ここでは計量器１００ａは親機に設定されているものとする。
【０１０６】
初めに、親機である計量器１００ａは、計量器設定信号を受信したか否かを判別する（ステップＳａ１）。
【０１０７】
計量器１００ａは、計量器設定信号を受信した場合、図１１および図１２の計量器設定処理を行い（ステップＳａ２）、ステップＳａ１に戻る。
【０１０８】
ステップＳａ１において、計量器１００ａは、計量器設定信号を受信していない場合、使用状況表示信号を受信したか否かを判別する（ステップＳｂ１）。計量器１００ａは、使用状況表示信号を受信した場合、図１３（ａ）の使用状況表示処理を行い（ステップＳｂ２）、ステップＳａ１に戻る。
【０１０９】
ステップＳｂ１において、計量器１００ａは、使用状況表示信号を受信していない場合、レポート表示信号を受信したか否かを判別する（ステップＳｃ１）。計量器１００ａは、レポート表示信号を受信した場合、図１３（ｂ）のレポート表示処理を行い（ステップＳｃ２）、ステップＳａ１に戻る。ステップＳｃ２において、計量器１００ａは、レポート表示信号を受信していない場合、他の処理を行い（ステップＳｄ１）、ステップＳａ１に戻る。
【０１１０】
図１１および図１２は図１０の統括管理プログラムにおける計量器設定処理を示すフローチャートである。
【０１１１】
計量器１００ａは、商品一覧データをパーソナルコンピュータ３００へ送信する（ステップＳ２１）。そして、パーソナルコンピュータ３００より対象商品決定信号を受信したか否かを判別する（ステップＳ２２）。
【０１１２】
計量器１００ａは、対象商品決定信号を受信した場合、子機と通信し、対象商品に関する子機の設定データを抽出する（ステップＳ２３）。これにより計量器１００ａは、対象商品に関する自己の設定データおよび子機の設定データをパーソナルコンピュータ３００へ送信する（ステップＳ２４）。
【０１１３】
その後、計量器１００ａは、パーソナルコンピュータ３００より対象計量器設定信号を受信したか否かを判別する（ステップＳ２５）。計量器１００ａは、対象計量器設定信号を受信したと判別した場合、対象計量器設定信号により指定された計量器を設定対象として認識する（ステップＳ２６）。
【０１１４】
続いて、計量器１００ａは、パーソナルコンピュータ３００より新たな設定データを受信したか否かを判別し（ステップＳ２７）、新たな設定データを受信したと判別した場合、計量器１００ａは受信した新たな設定データを自己のＲＡＭ１１２に記憶する（ステップＳ２８）。そして、計量器１００ａは、設定対象の子機に新たな設定データを送信するとともに（ステップＳ２９）、自己が計量処理中であるか否かを判別する（ステップＳ３０）。この計量処理には、商品の計量およびその計量により得られる計量値に基づく商品価格の演算処理等が含まれる。
【０１１５】
計量器１００ａは、上記ステップＳ３０の動作において、自己が計量処理中でないと判別した場合、新たな設定データに基づいて対象商品に関する自己の設定データを更新する（ステップＳ３１）。
【０１１６】
図１３（ａ）は図１０の統括管理プログラムにおける使用状況表示処理を示すフローチャートである。
【０１１７】
計量器１００ａは、子機と通信し、子機から使用状況データを抽出する（ステップＳ４１）。これにより、計量器１００ａは、自己および子機の使用状況データをパーソナルコンピュータ３００へ送信する（ステップＳ４２）。
【０１１８】
図１３（ｂ）は図１０の統括管理プログラムにおけるレポート表示処理を示すフローチャートである。
【０１１９】
計量器１００ａは、子機と通信し、子機からレポートデータを抽出する（ステップＳ５１）。これにより、計量器１００ａは、自己および子機のレポートデータをパーソナルコンピュータ３００へ送信する（ステップＳ５２）。
【０１２０】
計量器１００ａは、図９のステップＳ１３で自己が子機に設定されている場合、親機である他の計量器からアクセスされることにより処理内容に応じて自己の設定データ、使用状況データまたはレポートデータを親機へ送信する。この場合、計量器設定処理において、子機である計量器１００ａは、親機から新たな設定データを受信すると、自己が計量処理中であるか否かを判別し、計量処理中でないと判別した場合には、受信した新たな設定データに基づいて対象商品に関する自己の設定データを更新する。
【０１２１】
図１４は、図９のステップＳ３においてパーソナルコンピュータ３００に送信されるＰＣ用計量器管理プログラムを示すフローチャートである。パーソナルコンピュータ３００はＰＣ用計量器管理プログラムを親機から受信することにより計量器１００ａ〜１００ｄの管理動作を開始する。なお、ここでは計量器１００ａが親機に設定されているものとする。
【０１２２】
ＰＣ用計量器管理プログラムの実行開始時において、パーソナルコンピュータ３００は表示装置３０８にシステム起動ウィンドウＷ２を表示する（ステップＳｅ１）。そして、パーソナルコンピュータ３００は管理者により計量器設定ボタンｂ１がクリックされたか否かを判別する（ステップＳｅ２）。
【０１２３】
パーソナルコンピュータ３００は、計量器設定ボタンがクリックされた場合、図１５および図１６のパーソナルコンピュータ側（以下、ＰＣ側と略記する。）計量器設定処理を行い（ステップＳｅ３）、ステップＳｅ１に戻る。
【０１２４】
ステップＳｅ２において、パーソナルコンピュータ３００は、計量器設定ボタンｂ１がクリックされない場合、使用状況表示ボタンｂ２がクリックされたか否か判別する（ステップＳｆ１）。パーソナルコンピュータ３００は、使用状況表示ボタンｂ２がクリックされた場合、図１７（ａ）のＰＣ側使用状況表示処理を行い（ステップＳｆ２）、ステップＳｅ１に戻る。
【０１２５】
ステップＳｆ１において、パーソナルコンピュータ３００は、使用状況表示ボタンｂ２がクリックされない場合、レポート表示ボタンｂ１１がクリックされたか否かを判別する（ステップＳｇ１）。パーソナルコンピュータ３００は、レポート表示ボタンｂ１１がクリックされた場合、図１７（ｂ）のＰＣ側レポート表示処理を行い（ステップＳｇ２）、ステップＳｅ１に戻る。ステップＳｇ１において、パーソナルコンピュータ３００は、レポート表示ボタンｂ１１がクリックされない場合、他の処理を行い（ステップＳｈ１）、ステップＳｅ１に戻る。
【０１２６】
図１５および図１６は、図１４のＰＣ用計量器管理プログラムにおけるＰＣ側計量器設定処理を示すフローチャートである。
【０１２７】
初めに、パーソナルコンピュータ３００は計量器設定信号を親機である計量器１００ａへ送信する（ステップＳ１２１）。そして、親機である計量器１００ａより商品一覧データを受信したか否かを判別する（ステップＳ１２２）。
【０１２８】
パーソナルコンピュータ３００は、親機より商品一覧データを受信した場合、表示装置３０８に商品決定ウィンドウＷ３を表示する（ステップＳ１２３）。その後、パーソナルコンピュータ３００は、管理者により個別商品ボタンＳＫ１および商品分類ボタンＳＫ２等がクリックされることにより対象商品決定信号を親機へ送信する（ステップＳ１２４）。
【０１２９】
次に、パーソナルコンピュータ３００は、親機より自己の決定した対象商品の設定データを受信したか否かを判別する（ステップＳ１２５）。パーソナルコンピュータ３００は、設定データを受信した場合、受信した設定データに基づいて表示装置３０８に計量器設定ウィンドウＷ４を表示する（ステップＳ１２６）。
【０１３０】
その後、パーソナルコンピュータ３００は、管理者による対象計量器設定ボタンｂ５のクリックにより対象計量器設定信号を親機へ送信する（ステップＳ１２７）。最後に、パーソナルコンピュータ３００は、管理者により作成された新たな設定データを親機へ送信する（ステップＳ１２８）。
【０１３１】
上記のＰＣ側計量器設定処理により、設定対象となる計量器１００ａ〜１００ｄの設定データが新たな設定データで更新される。
【０１３２】
図１７（ａ）は、図１４のＰＣ用計量器管理プログラムにおけるＰＣ側使用状況表示処理を示すフローチャートである。
【０１３３】
パーソナルコンピュータ３００は、使用状況表示信号を親機へ送信する（ステップＳ１４１）。その後、パーソナルコンピュータ３００は、親機より使用状況データを受信したか否かを判別する（ステップＳ１４２）。使用状況データを受信した場合、パーソナルコンピュータ３００は表示装置３０８に使用状況一覧ウィンドウＷ５を表示する（ステップＳ１４３）。
【０１３４】
図１７（ｂ）は、図１４のＰＣ用計量器管理プログラムにおけるＰＣ側レポート表示処理を示すフローチャートである。
【０１３５】
パーソナルコンピュータ３００は、レポート表示信号を親機へ送信する（ステップＳ１５１）。その後、パーソナルコンピュータ３００は、親機よりレポートデータを受信したか否かを判別する（ステップＳ１５２）。レポートデータを受信した場合、パーソナルコンピュータ３００は表示装置３０８に使用状況レポート一覧ウィンドウＷ６を表示する（ステップＳ１５３）。
【０１３６】
第１の実施の形態に係る計量器管理システムＡＡによれば、管理者は、パーソナルコンピュータ３００により複数の計量器１００ａ〜１００ｄのうちのいずれかを親機と設定して通信することで、全ての計量器１００ａ〜１００ｄの設定データ、使用状況一覧および使用状況レポート一覧を表示装置３０８に表示させることができる。
【０１３７】
また、管理者は、パーソナルコンピュータ３００を用いて親機と通信することにより、複数の計量器１００ａ〜１００ｄと個別に通信することなく、複数の計量器１００ａ〜１００ｄの設定データを更新することができる。
【０１３８】
さらに、親機に設定された計量器はパーソナルコンピュータ３００のアクセスによりＰＣ用計量器管理プログラムをパーソナルコンピュータ３００へアップロードするので、管理者は専用のアプリケーションプログラムをパーソナルコンピュータ３００へインストールする必要がない。
【０１３９】
（第２の実施の形態）
図１８は、第２の実施の形態に係る計量器管理システムＢＢの構成を示す模式図である。
【０１４０】
第２の実施の形態に係る計量器管理システムＢＢは、計量器２００ａ，２００ｂ，２００ｃ，２００ｄ、パーソナルコンピュータ３００およびＬＡＮ４００から構成されている。パーソナルコンピュータ３００および計量器２００ａ〜２００ｄはＬＡＮ４００と接続されている。これにより、パーソナルコンピュータ３００はＬＡＮ４００を介して計量器２００ａ〜２００ｄの各々と個別に通信可能である。
【０１４１】
なお、計量器２００ａ〜２００ｄおよびパーソナルコンピュータ３００は、双方向に通信可能なネットワークを介して接続されていればよく、ＬＡＮ４００の代わりにインターネット等の公衆通信回線網を用いてもよい。さらに、図２２においては計量器管理システムＢＢに４台の計量器２００ａ〜２００ｄが含まれるが、これに限らず計量器管理システムＢＢに含まれる計量器の数に制限はない。
【０１４２】
図１８のパーソナルコンピュータ３００の構成は図２に示されるパーソナルコンピュータ３００の構成と同様であり、計量器２００ａ〜２００ｄの外観および構成は図３および図４に示される計量器１００ａの外観および構成と同様である。
【０１４３】
なお、パーソナルコンピュータ３００の表示装置３０８には、ブラウザおよび計量器管理プログラム等に基づいて各種ウィンドウが表示される。管理者は、パーソナルコンピュータ３００の代わりに図３および図４の構成を有する計量器を管理用の通信端末として用いてもよい。
【０１４４】
パーソナルコンピュータ３００には、計量器２００ａ〜２００ｄのいずれかからＬＡＮ４００およびインターフェイス部３０６を介して後述のパーソナルコンピュータ用（以下、ＰＣ用と略記する。）計量器設定プログラムがアップロードされる。このＰＣ用計量器設定プログラムは、例えば、ＪＡＶＡ（登録商標）アプレット等のアプレットである。
【０１４５】
計量器２００ａ〜２００ｄの外部記憶装置１１３（図４参照）には、第２の実施の形態に係る計量器管理プログラム等が記憶されるとともに、第１の実施の形態と同様の設定データが商品毎に記憶される。
【０１４６】
第２の実施の形態に係る計量器管理システムＢＢによれば、管理者は各々の計量器２００ａ〜２００ｄが計量処理中であるか否かに関わらず、各計量器２００ａ〜２００ｄの外部記憶装置１１３に記憶されている設定データを新たな設定データにより更新したり、外部記憶装置１１３に記憶されていない商品についての新たな設定データを記憶させたりすることができる。
【０１４７】
本実施の形態において、このような計量器２００ａ〜２００ｄの外部記憶装置１１３に対する設定データの更新および新たな設定データの書き込みに関する一連の処理を計量器設定処理と呼ぶ。なお、上述の計量処理とは、計量器２００ａ〜２００ｄが商品の計量およびその計量により得られる計量値に基づく商品価格の演算処理を行うことをいう。
【０１４８】
図１９は第２の実施の形態に係る計量器管理システムＢＢにおける各計量器の動作の概要を示すフローチャートであり、図２０は第２の実施の形態に係る計量器管理システムＢＢの使用状況の一例を示す模式図である。
【０１４９】
計量器２００ａは、電源がオンされることにより計量処理および計量器設定処理の待機状態となる。その後、計量器２００ａは、使用者の操作により、計量処理を行う（ステップＳｄ１）。この計量処理は使用者の操作により繰り返される。
【０１５０】
一方、計量器２００ａは、上記待機状態においてパーソナルコンピュータ３００よりアクセスされたか否かを判別する（ステップＳｅ１）。計量器２００ａは、パーソナルコンピュータ３００よりアクセスされたと判別した場合、パーソナルコンピュータ３００から入力される新たな設定データに基づいて計量器設定処理を行う（ステップＳｅ２）。計量器設定処理が終了すると、計量器２００ａは再び上述の待機状態となる。計量器設定処理の詳細については後述する。なお、以上の動作は、計量器２００ｂ〜２００ｄについても同様に行われる。
【０１５１】
計量処理および計量器設定処理の動作は並列に行われる。したがって、管理者は、計量器２００ａ〜２００ｄに対しそれぞれ計量器設定処理を行いたい場合、計量器２００ａ〜２００ｄの使用状況に関わらず計量器設定処理を行うことができる。
【０１５２】
例えば、図２０に示すように、使用者が計量器２００ａを使用して商品の計量および商品の価格を算出している場合（計量処理時）であっても、管理者はパーソナルコンピュータ３００を用いて計量器２００ａに新たな設定データＨｎを送信することができる。
【０１５３】
図２１は、設定データの一例を示す模式図である。設定データは図２１（ａ）に示される分類設定テーブルおよび図２１（ｂ）に示される個別商品テーブルから構成されている。これら分類設定テーブルおよび個別商品テーブルは、計量器２００ａ〜２００ｄの外部記憶装置１１３に記憶されている。
【０１５４】
図２１（ａ）に示すように、個々の商品は予め肉類、魚介類および衣料品類等のように大きく分類された状態で分類設定テーブルに記憶されている。さらに、図２１（ｂ）に示すように、個々の商品についての商品名称および単価等を含む商品情報は、個別商品テーブルに記憶されている。管理者は、分類設定テーブルおよび個別商品テーブルの内容を変更または追加することにより新たな設定データを作成することができる。
【０１５５】
図２２および図２３は、第２の実施の形態に係る計量器管理システムＢＢの動作時にパーソナルコンピュータ３００の表示装置３０８に表示される画像の一例を示す模式図である。
【０１５６】
初めに、管理者は、パーソナルコンピュータ３００の電源をオンし、ブラウザを起動する。ブラウザ起動時には、第１の実施の形態における図５（ａ）に示すブラウザ起動ウィンドウＷ１がパーソナルコンピュータ３００の表示装置３０８に表示される。ブラウザ起動ウィンドウＷ１には通信先のアドレスを入力するアドレス入力欄ＡＤおよび入力されたアドレスにアクセスするための移動ボタンＭＶが含まれる。
【０１５７】
ここで、管理者は複数の計量器２００ａ〜２００ｄのうち計量器設定処理の対象とする計量器を選定する。管理者は、アドレス入力欄ＡＤに選定した計量器のアドレスを入力し、移動ボタンＭＶをクリックする。これにより、パーソナルコンピュータ３００は選定した計量器にアクセスする。パーソナルコンピュータ３００の表示装置３０８には図２２に示すシステム起動ウィンドウＸ１が表示される。
【０１５８】
本実施の形態において、図１に示す計量器２００ａ〜２００ｄはそれぞれ順にアドレス“２００ａ”〜“２００ｄ”を有するものとする。したがって、アドレス入力欄に“２００ａ”が入力された場合、パーソナルコンピュータ３００は計量器２００ａにアクセスする。
【０１５９】
図２２に示すように、システム起動ウィンドウＸ１には、複数の個別商品ボタンＳＫ１、複数の商品分類ボタンＳＫ２、新規商品入力部ＳＫ３および設定画面表示ボタンｅ１が含まれる。商品分類ボタンＳＫ２の各々には分類設定テーブルにおける商品分類が表示されており、個別商品ボタンＳＫ１の各々には分類設定テーブルによる分類に応じた商品名称が表示されている。
【０１６０】
管理者は、商品分類ボタンＳＫ２のうち所望の商品分類ボタンＳＫ２をクリックすることにより個別商品ボタンＳＫ１の表示内容を変化させることができる。例えば、管理者が「牛肉」と表示された商品分類ボタンＳＫ２をクリックした場合、個別商品ボタンＳＫ１には図２２に示すように「てっちゃん」、「牛すじ」および「せんまい」等の牛肉に関する商品の名称が表示される。
【０１６１】
続いて、管理者は、設定対象とする商品名称が表示された個別商品ボタンＳＫ１をクリックし、さらに設定画面表示ボタンｅ１をクリックする。これにより、設定対象とする商品が決定され、パーソナルコンピュータ３００の表示装置３０８には図２３に示す計量器設定ウィンドウＸ３が表示される。
【０１６２】
なお、管理者は図２２のシステム起動ウィンドウＸ１において、個別商品ボタンＳＫ１に設定対象とする商品名称が存在しない場合または新たに商品の設定データを作成したい場合には、新規商品入力部ＳＫ３に所望の商品名称およびその商品分類を入力し、設定画面表示ボタンｅ１をクリックする。これにより、新しく設定を行う商品の新たな設定データの作成が可能となり、パーソナルコンピュータ３００の表示装置３０８には図２３に示す計量器設定ウィンドウＸ３が表示される。
【０１６３】
図２３に示すように、計量器設定ウィンドウＸ３には設定情報表示枠ｃ２０、登録ボタンｅ２および前画面表示ボタンｂ４が含まれる。設定情報表示枠ｃ２０は、左欄と右欄とに分割されており、左欄に示される設定内容項目に応じて右欄に設定内容入力エリアａｒ５が設けられている。
【０１６４】
図２３の計量器設定ウィンドウＸ３において、管理者は選定した商品の新たな設定内容を設定内容入力エリアａｒ５に入力し、新たな設定データを作成する。管理者が登録ボタンｅ２をクリックすることにより作成された新たな設定データが計量器２００ａに送信される。なお、計量器設定ウィンドウＸ３において、管理者が前画面表示ボタンｂ４をクリックした場合、計量器設定ウィンドウＸ３の前に表示されていたシステム起動ウィンドウＸ１が再表示される。
【０１６５】
以上のようにパーソナルコンピュータ３００から計量器２００ａに新たな設定データが送信された場合、計量器２００ａは、パーソナルコンピュータ３００より入力される新たな設定データが、どの商品についてのものかを識別する。計量器２００ａは、その商品について計量処理を行っているか否かを判別し、その商品について計量処理を行っていない場合、入力された新たな設定データに基づいて外部記憶装置１１３内の設定データの更新または外部記憶装置１１３内への新たな設定データの書き込みを行う。
【０１６６】
一方、計量器２００ａは、その商品について計量処理を行っている場合、入力された新たな設定データに基づく設定データの更新動作を行わず、計量処理の終了後に設定データの更新動作を行う。
【０１６７】
図２４は、計量処理時に計量器設定処理が行われた場合における計量器２００ａ〜２００ｄの表示内容の一例を経時的に示した図である。
【０１６８】
例えば、計量器２００ａがある商品について計量処理を行っているときに、計量器２００ａの販売者用表示部１０２（図４参照）に「単価３００円」との表示がされているものとする（図２４（ａ）参照）。計量器２００ａは、その商品についての単価を３００円から３２０円に変更する新たな設定データをパーソナルコンピュータ３００から受信した場合、その時点では設定データの更新動作を行わない。したがって、計量器２００ａの販売者用表示部１０２には「単価３００円」の表示が継続され、表示された単価により商品の計量処理が行われる。
【０１６９】
その後、計量器２００ａはその商品についての計量処理が終了するとともに新たな設定データに基づく設定データの更新動作を行う。したがって、計量器２００ａは、再びその商品についての計量処理が行われる場合、図２４（ｂ）に示すように販売者用表示部１０２に「単価３２０円」との表示を行い、この単価により計量処理を行う。
【０１７０】
第２の実施の形態に係る計量器管理プログラムは、計量プログラム、計量器設定プログラムおよびパーソナルコンピュータ用（以下、ＰＣ用と略記する）計量器設定プログラムから構成されており、これらは予め計量器２００ａ〜２００ｄの外部記憶装置１１３に記憶されている。
【０１７１】
図２５は、第２の実施の形態に係る計量器２００ａ〜２００ｄに記憶される計量プログラムのフローチャートである。初めに、計量器２００ａのＣＰＵ１１０は、操作パネル１０１による計量対象商品の入力があったか否かおよび計量部１０３に商品が載置されたか否かを判別する（ステップＳ６１）。ＣＰＵ１１０は、計量対象商品の入力がなされ、計量部１０３に商品が載置された場合、計量部１０３により計量対象商品の計量を行う（ステップＳ６２）。そして、ＣＰＵ１１０は計量部１０３により得られた商品の計量値に基づいて商品の価格を演算する（ステップＳ６３）。
【０１７２】
最後に、ＣＰＵ１１０は、計量対象商品の商品名、計量値および単価等の各種データとともに、演算処理により得られた商品の価格を販売者用表示部１０２に表示する（ステップＳ６４）。これにより、計量器２００ａの計量プログラムに基づく計量処理動作が終了する。以上の計量処理動作は、計量器２００ｂ〜２００ｄについても同様に行われる。
【０１７３】
図２６および図２７は、第２の実施の形態に係る計量器２００ａ〜２００ｄに記憶される計量器設定プログラムのフローチャートである。
【０１７４】
初めに、計量器２００ａは、パーソナルコンピュータ３００よりアクセスがあったか否かを判別する（ステップＳ７１）。計量器２００ａは、パーソナルコンピュータ３００よりアクセスされた場合、パーソナルコンピュータ３００へ外部記憶装置１１３に記憶されたＰＣ用計量器設定プログラムをアップロードし、さらに分類設定テーブルおよび個別商品テーブルからなる全ての設定データをパーソナルコンピュータ３００に送信する（ステップＳ７２）。
【０１７５】
その後、計量器２００ａはパーソナルコンピュータ３００より新たな設定データを受信したか否かを判別し（ステップＳ７３）、パーソナルコンピュータ３００より新たな設定データを受信した場合、自己がその新たな設定データに係る商品について計量処理中であるか否かを判別する（ステップＳ７４）。計量器２００ａは、その新たな設定データに係る商品について計量処理中でない場合、新たな設定データにより設定データを更新する（ステップＳ７７）。
【０１７６】
ステップＳ７４において、計量器２００ａは、受信した新たな設定データに係る商品について計量処理中である場合、パーソナルコンピュータ３００より受信した新たな設定データを一時的にＲＡＭ１１２に記憶する（ステップＳ７５）。その後、計量器２００ａは計量処理が終了したか否かを判別する（ステップＳ７６）。これにより、計量器２００ａは、計量処理が終了した場合、ステップＳ７７の動作を行う。
【０１７７】
なお、ステップＳ７７において、「設定データを更新する」とは、計量器２００ａの外部記憶装置１１３内の既存の設定データを新たな設定データにより更新する動作を示す他、計量器２００ａの外部記憶装置１１３に新たに設定データを書き込む動作も含まれる。
【０１７８】
以上に示す計量器２００ａの動作は、計量器２００ｂ〜２００ｄについても同様に行われる。
【０１７９】
図２８および図２９は、計量器２００ａ〜２００ｄよりパーソナルコンピュータ３００に送信されるＰＣ用計量器設定プログラムのフローチャートである。なお、図２８および図２９において、ＰＣ用計量器設定プログラムに基づくパーソナルコンピュータ３００の動作は、破線ＰＰｒ内に示されている。
【０１８０】
初めに、パーソナルコンピュータ３００はブラウザにより計量器へアクセスをしたか否かを判別する（ステップＳ８１）。パーソナルコンピュータ３００は、ブラウザにより計量器へのアクセスしていない場合、他の処理を行う（ステップＳ１００）。
【０１８１】
一方、パーソナルコンピュータ３００は、ブラウザにより計量器へアクセスした場合、アクセス先である計量器よりＰＣ用計量器設定プログラムと設定データとを受信したか否かを判別する（ステップＳ８２）。パーソナルコンピュータ３００は、ＰＣ用計量器設定プログラムおよび設定データを受信した場合、受信したＰＣ用計量器設定プログラムを起動する。これにより、パーソナルコンピュータ３００の表示装置３０８にシステム起動ウィンドウＸ１が表示される（ステップＳ９１）。
【０１８２】
その後、パーソナルコンピュータ３００は対象商品が決定されたか否かを判別する（ステップＳ９２）。パーソナルコンピュータ３００は、対象商品が決定された場合、表示装置３０８に新たな設定データを作成するための計量器設定ウィンドウＸ３を表示する（ステップＳ９３）。
【０１８３】
そして、パーソナルコンピュータ３００は新たな設定データが作成され、さらに登録ボタンｅ２がクリックされたか否かを判別する（ステップＳ９４）。パーソナルコンピュータ３００は、新たな設定データの作成および登録ボタンｅ２のクリックがされた場合、作成された新たな設定データをアクセスのあった計量器へ送信し（ステップＳ９５）、ステップＳ８１へ戻る。
【０１８４】
計量器管理プログラムにおいて、計量器２００ａ〜２００ｄの各々はパーソナルコンピュータ３００によらず単独で各種商品の計量器設定処理を行わないこととしているが、各計量器２００ａ〜２００ｄは各々単独で計量器設定処理を行うことが可能であってもよい。
【０１８５】
第２の実施の形態に係る計量器管理システムＢＢによれば、管理者は、パーソナルコンピュータ３００により計量器２００ａ〜２００ｄと通信することで、計量器２００ａ〜２００ｄが計量処理中であるか否かにかかわらず、計量器２００ａ〜２００ｄの設定データの内容を新たに追加したり更新したりすることができる。これにより、管理者は各計量器２００ａ〜２００ｄに対するメンテナンス等を効率よく行うことができる。
【０１８６】
第２の実施の形態において、計量器２００ａ〜２００ｄ側およびパーソナルコンピュータ３００側で計量器設定処理を行うことが可能な場合には、計量器２００ａ〜２００ｄおよびパーソナルコンピュータ３００の各々に計量器設定処理を行うための個別のパスワードを設定する機能を設けてもよい。この場合、計量器２００ａ〜２００ｄ側およびパーソナルコンピュータ３００側において容易に計量器設定処理が行われないようにすることが可能となり、誤った設定データに更新する等の人的過誤が軽減され、安全面の向上が図られる。
【０１８７】
また、計量器２００ａ〜２００ｄ側またはパーソナルコンピュータ３００側のうちいずれかが計量器設定処理を行う際に、計量器設定処理を行う側の機器が他方の計量器設定処理の動作をロックする機能を設けてもよい。この場合、計量器２００ａ〜２００ｄ側およびパーソナルコンピュータ３００側の各々より同時に同一の商品に対する計量器設定処理が行われない。このため、同一の商品に対する設定データが二重に更新されることが防止される。
【０１８８】
さらに、計量器側またはパーソナルコンピュータ側で、設定データの書き込み属性（読み出し専用または読み書き可能）を設定できる機能を設けてもよい。この場合、管理者は、例えば計量器側またはパーソナルコンピュータ側のいずれかでのみ設定データの計量器設定処理が行われるように設定ができる。このため、計量器側およびパーソナルコンピュータ側で同一の商品に対して同時に計量器設定処理が行われるという二重の更新動作が防止される。
【０１８９】
また、計量器２００ａ〜２００ｄ側に表示される表示内容とパーソナルコンピュータ３００側で表示される表示内容とで別々の言語で表示する機能を設けてもよい。この場合、管理者と販売者との間で使用言語が異なる場合に、パーソナルコンピュータ３００に管理者の言語を表示し、計量器２００ａ〜２００ｄに販売者の言語を表示することができる。これにより、操作ミスが防止される。
【０１９０】
さらに、計量器設定処理時において、パーソナルコンピュータ３００は、通信状態にある計量器２００ａ〜２００ｄの設定データを表示装置３０８に表示するが、設定データの他に通信状態にある計量器の消耗品情報（レシートまたはラベルの残量等の情報）を表示装置３０８に表示する機能を設けてもよい。この場合、管理者は、パーソナルコンピュータ３００を用いて計量器２００ａ〜２００ｄと通信することにより各計量器２００ａ〜２００ｄの消耗品情報を容易に知ることができる。
【０１９１】
以上、第１および第２の実施の形態において、パーソナルコンピュータ３００が情報処理装置に相当し、計量器１００ａ〜１００ｄ，２００ａ〜２００ｄが計量器に相当し、計量部１０３が計量手段に相当し、インターフェイス部１１４が通信手段に相当し、外部記憶装置１１３が設定手段に相当し、ＣＰＵ１１０が認識手段および更新手段に相当する。
【０１９２】
【発明の効果】
本発明に係る計量器においては、計量手段により計量が行われ、認識手段により親機としての設定または子機としての設定が認識され、通信手段により情報処理装置または他の計量器と通信が行われる。認識手段により親機として認識された場合、通信手段により計量手段の動作状態が情報処理装置に送信されるとともに他の計量器の動作状態が取得され情報処理装置に送信され、認識手段により子機として認識された場合、通信手段により親機からの要求に応答して計量手段の動作状態が親機に送信される。
【０１９３】
これにより、管理者は、情報処理装置を用いて複数の計量器のうちいずれかを親機として設定し、親機として設定された計量器と通信することにより、個々の計量器と通信することなく、容易に親機の計量手段の動作状態を確認するとともに子機と設定された他の計量器の計量手段の動作状態を確認することができる。
【図面の簡単な説明】
【図１】第１の実施の形態に係る計量器管理システムの構成を示す模式図である。
【図２】第１の実施の形態に係るパーソナルコンピュータの構成を示す模式図である。
【図３】第１の実施の形態に係る計量器の外観斜視図である。
【図４】計量器の構成を示すブロック図である。
【図５】第１の実施の形態に係る計量器管理システムの動作時にパーソナルコンピュータの表示装置に表示される画像の一例を示す模式図である。
【図６】第１の実施の形態に係る計量器管理システムの動作時にパーソナルコンピュータの表示装置に表示される画像の一例を示す模式図である。
【図７】第１の実施の形態に係る計量器管理システムの動作時にパーソナルコンピュータの表示装置に表示される画像の一例を示す模式図である。
【図８】第１の実施の形態に係る計量器管理システムの動作時にパーソナルコンピュータの表示装置に表示される画像の一例を示す模式図である。
【図９】起動プログラムのフローチャートである。
【図１０】計量器に記憶される統括管理プログラムを示すフローチャートである。
【図１１】図１０の統括管理プログラムにおける設定管理処理を示すフローチャートである。
【図１２】図１０の統括管理プログラムにおける設定管理処理を示すフローチャートである。
【図１３】図１０の統括管理プログラムにおける使用状況表示処理およびレポート表示処理を示すフローチャートである。
【図１４】図９のステップＳ３においてパーソナルコンピュータに送信されるＰＣ用計量器管理プログラムを示すフローチャートである。
【図１５】図１４のＰＣ用計量器管理プログラムにおけるＰＣ用設定管理処理を示すフローチャートである。
【図１６】図１４のＰＣ用計量器管理プログラムにおけるＰＣ用設定管理処理を示すフローチャートである。
【図１７】図１４のＰＣ用計量器管理プログラムにおけるＰＣ用使用状況表示処理およびＰＣ用レポート表示処理を示すフローチャートである。
【図１８】第２の実施の形態に係る計量器管理システムの構成を示す模式図である。
【図１９】第２の実施の形態に係る計量器管理システムにおける各計量器の動作の概要を示すフローチャートである。
【図２０】第２の実施の形態に係る計量器管理システムの使用状況の一例を示す模式図である。
【図２１】設定データの一例を示す模式図である。
【図２２】第２の実施の形態に係る計量器管理システムの動作時にパーソナルコンピュータの表示装置に表示される画像の一例を示す模式図である。
【図２３】第２の実施の形態に係る計量器管理システムの動作時にパーソナルコンピュータの表示装置に表示される画像の一例を示す模式図である。
【図２４】計量処理時に計量器設定処理が行われた場合における計量器の表示内容の一例を経時的に示した図である。
【図２５】第２の実施の形態に係る計量器に記憶される計量プログラムのフローチャートである。
【図２６】第２の実施の形態に係る計量器に記憶される計量器設定プログラムのフローチャートである。
【図２７】第２の実施の形態に係る計量器に記憶される計量器設定プログラムのフローチャートである。
【図２８】計量器よりパーソナルコンピュータに送信されるＰＣ用計量器設定プログラムのフローチャートである。
【図２９】計量器よりパーソナルコンピュータに送信されるＰＣ用計量器設定プログラムのフローチャートである。
【符号の説明】
１００ａ，１００ｂ，１００ｃ，１００ｄ，２００ａ，２００ｂ，２００ｃ，２００ｄ  計量器
１０３  計量部
１１０，３０１  ＣＰＵ
１１２，３０２  ＲＡＭ
１１１，３０３  ＲＯＭ
１１３，３０４  外部記憶装置
１１４，３０６  インターフェイス部
３００  パーソナルコンピュータ
４００  ＬＡＮ
【図１】
2004265227.tif 000003
【図２】
2004265227.tif 000004
【図３】
2004265227.tif 000005
【図４】
2004265227.tif 000006
【図５】
2004265227.tif 000007
【図６】
2004265227.tif 000008
【図７】
2004265227.tif 000009
【図８】
2004265227.tif 000010
【図９】
2004265227.tif 000011
【図１０】
2004265227.tif 000012
【図１１】
2004265227.tif 000013
【図１２】
2004265227.tif 000014
【図１３】
2004265227.tif 000015
【図１４】
2004265227.tif 000016
【図１５】
2004265227.tif 000017
【図１６】
2004265227.tif 000018
【図１７】
2004265227.tif 000019
【図１８】
2004265227.tif 000020
【図１９】
2004265227.tif 000021
【図２０】
2004265227.tif 000022
【図２１】
2004265227.tif 000023
【図２２】
2004265227.tif 000024
【図２３】
2004265227.tif 000025
【図２４】
2004265227.tif 000026
【図２５】
2004265227.tif 000027
【図２６】
2004265227.tif 000028
【図２７】
2004265227.tif 000029
【図２８】
2004265227.tif 000030
【図２９】
2004265227.tif 000031